(57)【要約】【課題】普段は通常通りベッド等に敷いて利用することができ、非常時には、被搬送者の体格に合わせた担架を構成して、種々の体格の被搬送者を良好に搬送することができる担架用敷物を提供する。【解決手段】担架用敷物１０は、矩形の敷物１０の少なくとも両側部１１，１１にそれぞれ、棒状体２０を挿入できる筒状部１２（ａ、ｂ、ｃ）が複数平行に設けられている。非常時に、筒状部１２に棒状体２０を挿入して担架３０として利用する際には、被搬送者Ｐの体格に合う位置の筒状部１２を選択して棒状体２０を挿入することによって、被搬送者Ｐの体格、特に身体の幅Ｗに適合した担架３０を構成することができる。。【選択図】図２
2015023939.tif 000002
【特許請求の範囲】
【請求項１】
矩形の敷物の少なくとも両側部にそれぞれ、棒状体を挿入できる筒状部を複数平行に設けたことを特徴とする担架用敷物。
【請求項２】
請求項１において、
前記敷物は、シート状素材を上下に２枚重ねとし、その両側部において適所を両側縁部に平行に逢着することによって上記筒状部を複数形成するとともに、２枚重ねにしたシート状素材同士の中央部も両側縁部に平行に逢着して上記筒状部と同様の筒状部を形成したことを特徴とする担架用敷物。
【発明の詳細な説明】
【技術分野】
【０００１】
本発明は、担架用敷物に関する。より詳しくは、普段は通常通りベッド等に敷いて利用し、非常時には、担架として利用することができる敷物（シーツやマット等）に関するものである。
【背景技術】
【０００２】
従来、担架用敷物として、例えば特許文献１に見られるように、普段は敷物として利用し、非常時には、担架として利用することができる敷物が知られている。
また、例えば特許文献２に見られるように、略長方形の周縁を有する布状体（１）と、布状体（１）の両側長辺全長に沿って設けられた中空筒状部（２）と、中空筒状部（２）に挿入された可撓性を有する棒状体（３）と、からなる布担架も知られている。
【先行技術文献】
【特許文献】
【０００３】
【特許文献１】特開２００１−１６１７４９号公報
【特許文献２】特開２０１１−４５４７０号公報
【発明の概要】
【発明が解決しようとする課題】
【０００４】
上記特許文献１記載の担架用敷物では、握り部（３）は敷物の両辺に沿って、一列（３個）ずつしか設けられていない。
したがって、敷物に載せられて搬送させる被搬送者の体格が、布幅ないし、握り部（３）の列同士の間隔に適している場合にはよいが、被搬送者の体格、特に身体の幅が小さい場合、被搬送者の両側において、被搬送者と握り部（３）との間が広くなり過ぎ、被搬送者が下方に下がりすぎるため、搬送しにくくなるという問題がある。
【０００５】
上記特許文献２の布担架も、中空筒状部（２）が布状体（１）の両辺に沿って一つずつしか設けられていないため、やはり、被搬送者の体格が布幅ないし中空筒状部（２）同士の間隔に適している場合にはよいが、被搬送者の体格、特に身体の幅が小さい場合、被搬送者の両側において、被搬送者と棒状体（３）との間が広くなり過ぎ、被搬送者が下方に下がりすぎるため、搬送しにくくなるという問題がある。
【０００６】
本発明が解決しようとする課題は、普段は通常通りベッド等に敷いて利用することができ、非常時には、被搬送者の体格に合わせた担架を構成して、種々の体格の被搬送者を良好に搬送することができる担架用敷物を提供することである。
【課題を解決するための手段】
【０００７】
上記課題を解決するために本発明の担架用敷物は、矩形の敷物の少なくとも両側部にそれぞれ、棒状体を挿入できる筒状部を複数平行に設けたことを特徴とする。
この担架用敷物は、矩形の敷物であるから、普段は通常通りベッド等に敷いて利用することができる。また、非常時には、敷物の両側部の筒状部に棒状体を挿入して担架として利用することができる。
そして、棒状体を挿入できる筒状部が敷物の少なくとも両側部にそれぞれ複数平行に設けられているので、筒状部に棒状体を挿入して担架として利用する際には、被搬送者の体格に合う位置の筒状部を選択して棒状体を挿入することによって、被搬送者の体格、特に身体の幅に適合した担架を構成することができる。
すなわち、この担架用敷物によれば、普段は通常通りベッド等に敷いて利用することができ、非常時には、被搬送者の体格に合わせた担架を構成して、種々の体格の被搬送者を良好に搬送することができる。
しかも、ベッド等においてこの担架用敷物の上に被搬送者を寝かせた状態で、その被搬送者の体格を見ながらその体格に合わせた筒状部を選択することができるため、非常時においても、速やかに、被搬送者の体格に適した担架を構成することができ、そのまま、棒状体をもって被搬送者を搬送することができる。
【０００８】
この担架用敷物においては、
前記敷物は、シート状素材を上下に２枚重ねとし、その両側部において適所を両側縁部に平行に逢着することによって上記筒状部を複数形成するとともに、２枚重ねにしたシート状素材同士の中央部も両側縁部に平行に逢着して上記筒状部と同様の筒状部を形成した構成とすることができる。
このように構成すると、筒状部の数をより多く形成して筒状部の選択肢を増やせるとともに、中央部におけるシート状素材同士を連結することで、敷物の保形性を確保することが可能となる。 
【図面の簡単な説明】
【０００９】
【図１】本発明に係る担架用敷物の実施の形態を示す図で、（ａ）は平面図、（ｂ）は正面図、（ｃ）は左側面図。
【図２】（ａ）（ｂ）は同実施の形態の使用例を示す側面図、（ｃ）は斜視図。
【図３】（ａ）（ｂ）はそれぞれ変形例の側面図。
【発明を実施するための形態】
【００１０】
以下、本発明に係る担架用敷物の実施の形態について図面を参照して説明する。なお、各図において、同一部分ないし相当する部分には、同一の符号を付してある。
【００１１】
図１に示すように、この実施の形態の担架用敷物１０は、矩形の敷物１０の少なくとも両側部１１，１１にそれぞれ、棒状体２０（図２参照）を挿入できる筒状部１２（ａ、ｂ、ｃ）が複数平行に設けられている。
【００１２】
この担架用敷物１０は、矩形の敷物であるから、図２（ａ）に示すように、普段は通常通りベッドＢ（例えば病院における入院患者のためのベッド）等に敷いて利用することができる。なお、図において、ＰはベッドＢに横たわっている人であり、後述するように被搬送者ともなる人である。
【００１３】
この担架用敷物１０は、非常時には、図２（ｂ）（ｃ）に示すように、敷物１０の両側部１１の筒状部１２に棒状体２０を挿入して担架３０として利用することができる。
そして、棒状体２０を挿入できる筒状部１２が敷物１０の両側部１１にそれぞれ複数平行に設けられているので、筒状部１２に棒状体２０を挿入して担架３０として利用する際には、被搬送者Ｐの体格に合う位置の筒状部１２を選択して棒状体２０を挿入することによって、被搬送者Ｐの体格、特に身体の幅Ｗに適合した担架３０を構成することができる。
【００１４】
例えば、被搬送者Ｐの体格が大きい場合には、最も外側に位置する筒状部１２（ａ）、１２（ａ）にそれぞれ棒状体２０を挿入して、幅広の担架３０を構成することができるし、被搬送者Ｐの体格がそれよりも小さい場合には、内側に位置する筒状部１２（ｂ、ｃ、・・・）のうちから、適切な位置の筒状部を選択し、その筒状部に棒状体２０を挿入して、被搬送者Ｐに適した担架３０を構成することができる。
図示のものの場合、外側から２番目の筒状部１２（ｂ）に棒状体２０を挿入して被搬送者Ｐに適した幅の担架３０を構成している。
【００１５】
以上のように、この担架用敷物１０は、普段は通常通りベッドＢ等に敷いて利用することができ、非常時には、被搬送者Ｐの体格に合わせた担架３０を構成して、種々の体格の被搬送者Ｐを良好に搬送することができる。
【００１６】
しかも、図２（ａ）（ｂ）に示すように、ベッドＢに被搬送者Ｐを寝かせた状態で、その被搬送者Ｐの体格を見ながらその体格に合わせた筒状部１２（図示の場合１２（ｂ））を選択することができるため、非常時においても、速やかに、被搬送者Ｐの体格に適した担架３０を構成することができ、そのまま、図２（ｃ）に示すように、棒状体２０をもって被搬送者Ｐを搬送することができる。
【００１７】
図１に示すように、敷物１０は、シート状素材１３を上下に２枚重ねとし、その両側部１１において適所（１５）を両側縁部１０ｓに平行に逢着する（逢着部を符号１５で示す）ことによって上記筒状部１２を形成するとともに、２枚重ねにしたシート状素材１３同士の中央部１６も両側縁部１０ｓに平行に逢着して上記筒状部と同様の筒状部１２（ｄ、ｅ）を形成した構成とすることができる。
このように構成すると、筒状部１２の数をより多く形成して筒状部１２の選択肢を増やせるとともに、中央部１６におけるシート状素材１３同士を連結することで、敷物１０の保形性を確保することが可能となる。 
【００１８】
敷物１０は、普通通り、ベッドＢ等に敷いて利用できるシート状素材で構成することができ、例えば、シーツ、毛布、タオルケット、マット等の素材で構成することができる。
敷物１０は、少なくとも両側部１１，１１にそれぞれ上記筒状部１２を複数設けることができる構造であれば良く、図１に示すもののように、上記シート状素材１３を単純に２枚重ねとし、その両縁部（１４）および、適所（１５）を、平行に逢着する（逢着部を符号１４，１５で示す）ことによって、上記筒状部１２を形成することができる。
【００１９】
なお、シート状素材１３を２重構造とするには、単純に２枚重ねとするほか、図３（ａ）に示すように１枚のシート状素材を２つ折りにする、または、図３（ｂ）に示すように１枚のシート状素材１３の両側部を下方に折り畳んだ状態とする、という構造を取りうる。図３（ａ）に示すように１枚のシート状素材を２つ折りにした場合には、一方の側縁部（１４）の逢着は不要となるし、図３（ｂ）に示すように１枚のシート状素材１３の両側部を下方に折り畳んだ場合には、両側縁部の逢着１４が不要となる。
【００２０】
以上、本発明の実施の形態について説明したが、本発明は上記の実施の形態に限定されるものではなく、本発明の要旨の範囲内において適宜変形実施可能である。
例えば、敷物１０の大きさや筒状部１２の数および大きさは適宜設定することができる。
【符号の説明】
【００２１】
１０：    敷物
１１：    両側部
１２：    筒状部
１３：    シート状素材
１５：    逢着部
１６：    中央部
２０：    棒状体
【図１】
2015023939.tif 000003
【図２】
2015023939.tif 000004
【図３】
2015023939.tif 000005